(57)【要約】  観察者の負担を軽減しつつ、注目領域を見逃すことなく、かつ、被写体の正確な観察場所を把握しながら観察を行う。被写体（Ａ）に対し、励起光および照明光を照射する照明部（３，４）と、励起光の照射により被写体（Ａにおいて発生した蛍光から蛍光画像（Ｇ２）を取得する蛍光撮像部（２１）と、照明光の照射により被写体（Ａ）から戻る戻り光から戻り光画像（Ｇ１）を取得する戻り光撮像部（２０）と、取得された蛍光画像（Ｇ２）および／または戻り光画像（Ｇ１）を表示する表示部（７）と、蛍光画像から注目領域Ｒを抽出する抽出部と、注目領域Ｒが抽出されていないときには戻り光画像（Ｇ１）のみを表示部（７）に表示し、注目領域（Ｒ）が抽出されたときには、戻り光画像（Ｇ１）および蛍光画像（Ｇ２）を並列して表示部（７）に表示するように切り替える画像切替部（２５）とを備える蛍光観察装置（１）を提供する。
2012147820.tif 000002
【特許請求の範囲】
【請求項１】
被写体に対し、励起光および照明光を照射する照明部と、
該照明部からの励起光の照射により前記被写体において発生した蛍光を撮影し蛍光画像を取得する蛍光撮像部と、
前記照明部からの照明光の照射により前記被写体から戻る戻り光を撮影し戻り光画像を取得する戻り光撮像部と、
前記蛍光撮像部により取得された前記蛍光画像および／または前記戻り光撮像部により取得された前記戻り光画像を表示する表示部と、
前記蛍光画像から所定の階調値閾値を超える階調値を有する領域を注目領域として抽出する抽出部と、
該抽出部により前記注目領域が抽出されていないときには前記戻り光画像のみを前記表示部に表示し、前記注目領域が抽出されたときには、前記戻り光画像および前記蛍光画像を並列して前記表示部に表示するように切り替える画像切替部とを備える蛍光観察装置。
【請求項２】
前記抽出部が、前記階調値閾値を越える階調値を有し、かつ、所定の面積閾値を越える面積を有する領域を前記注目領域として抽出する請求項１に記載の蛍光観察装置。
【請求項３】
観察者が入力を行う入力部を備え、
前記画像切替部は、前記抽出部により前記注目領域が抽出されたときに、抽出された前記注目領域の情報を前記戻り光画像上に重畳して表示するとともに、表示された前記情報に対応する前記注目領域の観察の要否について観察者に入力を促す表示を行うように前記表示部による表示を切り替えるとともに、前記入力部から観察が必要である旨の入力が行われた場合に、前記戻り光画像および前記蛍光画像を前記表示部に表示するように切り替える請求項１または請求項２に記載の蛍光観察装置。
【請求項４】
前記注目領域の情報が、前記戻り光画像上における前記注目領域の位置である請求項３に記載の蛍光観察装置。
【請求項５】
前記注目領域の情報が、前記戻り光画像上における前記注目領域の位置および平均階調値である請求項３に記載の蛍光観察装置。
【請求項６】
前記注目領域の情報が、前記戻り光画像上における前記注目領域の輪郭線である請求項３に記載の蛍光観察装置。
【請求項７】
前記画像切替部が、前記抽出部により前記注目領域が抽出されたときには、前記戻り光画像および前記蛍光画像を拡大して表示する請求項３に記載の蛍光観察装置。
【請求項８】
前記蛍光撮像部および前記戻り光撮像部が、取得する画像の倍率を変更する変倍機構をそれぞれ備え、
前記入力部から観察が必要である旨の入力が行われた場合に、
各前記変倍機構を作動させて前記蛍光撮像部および前記戻り光撮像部により高倍率の蛍光画像および戻り光画像を取得させ、
前記画像切替部が、取得された高倍率の前記蛍光画像および前記戻り光画像を表示する請求項３に記載の蛍光観察装置。
【請求項９】
前記画像切替部が、前記入力部から観察が不要である旨の入力が行われた場合に、前記戻り光画像のみの表示に切り替える請求項３に記載の蛍光観察装置。
【請求項１０】
前記入力部から入力が行われた場合に、入力時に前記表示部に表示されている前記戻り光画像および前記抽出部により抽出された前記注目領域と入力内容とを対応づけて記憶する記憶部を備え、
前記画像切替部は、前記抽出部により前記注目領域が抽出されたときに、抽出された前記注目領域および該注目領域に対応する戻り光画像と、前記記憶部に記憶されている過去の前記注目領域および過去の戻り光画像とを対比し、一致している場合には、前記記憶部に対応づけて記憶されている入力内容に応じて異なる表示を行う請求項３から請求項９のいずれかに記載の蛍光観察装置。
【請求項１１】
被写体に対し、励起光および照明光を照射する照明部と、
該照明部からの励起光の照射により前記被写体において発生した蛍光を撮影し蛍光画像を取得する蛍光撮像部と、
前記照明部からの照明光の照射により前記被写体から戻る戻り光を撮影し戻り光画像を取得する戻り光撮像部と、
前記蛍光撮像部により取得された前記蛍光画像および／または前記戻り光撮像部により取得された前記戻り光画像を表示する表示部と、
前記蛍光画像から所定の階調値閾値を超える階調値を有し、かつ、該階調値と該階調値以外の特徴量とを乗算したインデックス値が、所定のインデックス閾値を超える領域を注目領域として抽出する抽出部と、
該抽出部により前記注目領域が抽出されていないときには前記戻り光画像のみを前記表示部に表示し、前記注目領域が抽出されたときには、前記戻り光画像および前記蛍光画像を前記表示部に表示するように切り替える画像切替部とを備える蛍光観察装置。
【請求項１２】
観察者が入力を行う入力部とを備え、
前記画像切替部は、前記抽出部により前記注目領域が抽出されたときに、抽出された前記注目領域の情報を前記戻り光画像と対応づけて表示するとともに、表示された前記情報に対応する前記注目領域の観察の要否について観察者に入力を促す表示を行うように前記表示部による表示を切り替えるとともに、前記入力部から観察が必要である旨の入力が行われた場合に、前記戻り光画像および前記蛍光画像を前記表示部に表示するように切り替える請求項１１に記載の蛍光観察装置。
【請求項１３】
観察条件を変更するために着脱される、識別情報を記憶した着脱部品と、
該着脱部品に記憶された識別情報を読み取る識別情報読取部と、
前記識別情報と前記階調値閾値とを対応づけて記憶する閾値記憶部とを備え、
前記抽出部が、取り付けた着脱部品の識別情報に対応して前記閾値記憶部に記憶されている前記階調値閾値を用いて前記注目領域を抽出する請求項１に記載の蛍光観察装置。
【請求項１４】
使用する蛍光薬剤の情報を入力する情報入力部を備え、
前記抽出部が、前記情報入力部から入力された蛍光薬剤の情報に基づいて前記階調値閾値を調節し、調節された前記階調値閾値を超える領域を前記注目領域として抽出する請求項１に記載の蛍光観察装置。
【請求項１５】
被写体の蛍光画像と戻り光画像を表示する蛍光観察装置の画像表示方法であって、
前記蛍光画像から所定の階調値閾値を超える階調値を有する領域を注目領域として抽出し、
前記注目領域が抽出されていないときに、前記戻り光画像のみを表示し、
前記注目領域が抽出されたときに、前記戻り光画像および前記蛍光画像を並列して表示する画像表示方法。
【発明の詳細な説明】
【技術分野】
【０００１】
本発明は、蛍光観察装置とその画像表示方法に関するものである。
【背景技術】
【０００２】
従来、観察対象の反射光画像と蛍光画像とを取得し、一方の画像をモニタ上のメインウインドウに、他方の画像をサブウインドウに表示する内視鏡装置が知られている（例えば、特許文献１参照。）。また、反射光画像と蛍光画像とを重畳させて表示する内視鏡装置も知られている（例えば、特許文献２参照。）。
医師等の観察者は、内視鏡の挿入部を患者の体内に挿入していく過程においては、主として反射光画像を用いて挿入作業を行い、病変部近傍を観察する過程においては、主として蛍光画像を観察する。
【先行技術文献】
【特許文献】
【０００３】
【特許文献１】特開２００２−３４５７３９号公報
【特許文献２】特開２００７−０７５１９８号公報
【発明の概要】
【発明が解決しようとする課題】
【０００４】
しかしながら、特許文献１の内視鏡装置では、反射光画像と蛍光画像とが同一のモニタ上に常時表示されるので、観察者は、常に２つの画像を見ながら挿入部の挿入作業と病変部の探索とを行わなければならず、負担が大きいと言う不都合がある。すなわち、反射光画像を注視していると、蛍光画像に現れた病変部の画像を見落としてしまう虞があり、蛍光画像を注視していると、反射光画像による観察がおろそかになるという虞がある。【０００５】
また、特許文献２の内視鏡装置では、重畳された反射光画像と蛍光画像とを同じウインドウにおいて同時に確認できるが、重畳された一方の画像によって他方の画像の鮮明度が失われたり、隠れてしまったりする不都合がある。【０００６】
本発明は、上述した事情に鑑みてなされたものであって、観察者の負担を軽減しつつ、注目領域を見逃すことなく、かつ、被写体の正確な観察場所を把握しながら、観察を行うことができる蛍光観察装置とその画像表示方法を提供することを目的としている。
【課題を解決するための手段】
【０００７】
上記目的を達成するために、本発明は以下の手段を提供する。
本発明の第１の態様は、被写体に対し、励起光および照明光を照射する照明部と、該照明部からの励起光の照射により前記被写体において発生した蛍光を撮影し蛍光画像を取得する蛍光撮像部と、前記照明部からの照明光の照射により前記被写体から戻る戻り光を撮影し戻り光画像を取得する戻り光撮像部と、前記蛍光撮像部により取得された前記蛍光画像および／または前記戻り光撮像部により取得された前記戻り光画像を表示する表示部と、前記蛍光画像から所定の階調値閾値を超える階調値を有する領域を注目領域として抽出する抽出部と、該抽出部により前記注目領域が抽出されていないときには前記戻り光画像のみを前記表示部に表示し、前記注目領域が抽出されたときには、前記戻り光画像および前記蛍光画像を並列して前記表示部に表示するように切り替える画像切替部とを備える蛍光観察装置を提供する。【０００８】
本発明の第１の態様によれば、照明部から発せられた励起光が被写体に照射されると、被写体内に含まれる蛍光物質が励起されて発生した蛍光が蛍光撮像部によって撮影され、蛍光画像が取得される。また、照明部から発せられた照明光が被写体に照射されると、被写体から戻る戻り光が戻り光撮像部によって撮影され、戻り光画像が取得される。そして、取得された蛍光画像から、階調値閾値を超える階調値を有する領域が抽出部により注目領域として抽出される。【０００９】
抽出部により注目領域が抽出されていない状態では、画像切替部は戻り光画像のみを表示部に表示するので、観察者は戻り光画像のみを注視して観察を行うことができる。一方、抽出部により注目領域が抽出されたときには、画像切替部は戻り光画像と蛍光画像とを表示部に並列表示するので、観察者は注目領域の存在を認識することができ戻り光画像および蛍光画像の両方を確認しながら観察を行うことができる。【００１０】
その結果、蛍光画像に注目すべき領域が存在しない段階において、観察者が戻り光画像および蛍光画像の両方に注意を払う必要がなく、観察者は戻り光画像のみに注視しながら観察を行うことができ、観察者にかかる負担を軽減することができる。また、注目領域が抽出されたときには、蛍光画像が並列表示されることにより、観察者に注目領域の存在を報知することができ、注目領域の見落としをより確実に防止することができる。【００１１】
上記発明においては、前記抽出部が、前記階調値閾値を越える階調値を有し、かつ、所定の面積閾値を越える面積を有する領域を前記注目領域として抽出してもよい。
このようにすることで、階調値は高いが面積は小さい領域が、注目領域として抽出されてしまうことを防止し、ノイズによる誤抽出を抑制して効率よく注目領域を抽出することができる。本来注目すべきではない領域が注目領域として抽出され、表示が切り替えられてしまうことによる観察者への負担を軽減することができる。【００１２】
また、上記発明においては、観察者が入力を行う入力部を備え、前記画像切替部は、前記抽出部により前記注目領域が抽出されたときに、抽出された前記注目領域の情報を前記戻り光画像上に重畳して表示するとともに、表示された前記情報に対応する前記注目領域の観察の要否について観察者に入力を促す表示を行うように前記表示部による表示を切り替えるとともに、前記入力部から観察が必要である旨の入力が行われた場合に、前記戻り光画像および前記蛍光画像を前記表示部に表示するように切り替えてもよい。【００１３】
このようにすることで、抽出部により注目領域が抽出されると、注目領域の情報が戻り光画像上に重畳される。そして、表示された情報に対応する注目領域の観察の要否について観察者に入力を促す表示が行われる。観察者は、戻り光画像を注視しながら、蛍光画像が並列表示されてしまった場合よりも少ない負担で、戻り光画像上に重畳された情報を確認することができる。【００１４】
また、上記発明においては、前記注目領域の情報が、前記戻り光画像上における前記注目領域の位置であってもよい。
また、上記発明においては、前記注目領域の情報が、前記戻り光画像上における前記注目領域の位置および平均階調値であってもよい。
また、上記発明においては、前記注目領域の情報が、前記戻り光画像上における前記注目領域の輪郭線であってもよい。【００１５】
このようにすることで、戻り光画像上に重畳された注目領域の情報により、戻り光画像との関係で、注目領域の詳細な観察の要否を簡易に確認することができ、観察者に負担をかけることなく、戻り光画像による観察と、蛍光画像による観察とを行うことができる。【００１６】
また、上記発明においては、前記画像切替部が、前記抽出部により前記注目領域が抽出されたときには、前記戻り光画像および前記蛍光画像を拡大して表示してもよい。
このようにすることで、拡大された戻り光画像および蛍光画像によって、注目領域をより詳細に観察することができる。【００１７】
また、上記発明においては、前記蛍光撮像部および前記戻り光撮像部が、取得する画像の倍率を変更する変倍機構をそれぞれ備え、前記入力部から観察が必要である旨の入力が行われた場合に、各前記変倍機構を作動させて前記蛍光撮像部および前記戻り光撮像部により高倍率の蛍光画像および戻り光画像を取得させ、前記画像切替部が、取得された高倍率の前記蛍光画像および前記戻り光画像を表示してもよい。
このようにすることで、変倍機構により拡大された戻り光画像および蛍光画像によって、注目領域をより鮮明に観察することができる。【００１８】
また、上記発明においては、前記画像切替部が、前記入力部から観察が不要である旨の入力が行われた場合に、前記戻り光画像のみの表示に切り替えてもよい。
このようにすることで、戻り光画像に重畳して表示された注目領域の情報から観察が不要であると判断できる注目領域については、並列表示に切り替えないこととして、観察者に与えられる煩わしさを解消することができる。【００１９】
また、上記発明においては、前記入力部から入力が行われた場合に、入力時に前記表示部に表示されている前記戻り光画像および前記抽出部により抽出された前記注目領域と入力内容とを対応づけて記憶する記憶部を備え、前記画像切替部は、前記抽出部により前記注目領域が抽出されたときに、抽出された前記注目領域および該注目領域に対応する戻り光画像と、前記記憶部に記憶されている過去の前記注目領域および過去の戻り光画像とを対比し、一致している場合には、前記記憶部に対応づけて記憶されている入力内容に応じて異なる表示を行ってもよい。【００２０】
このようにすることで、過去に観察した注目領域を観察者に認識させることができ、再度の観察が不要な場合には、並列表示しないことを選択可能として、詳細観察が重複して行われてしまうことを防止して観察の効率を向上することができる。【００２１】
また、本発明は、被写体に対し、励起光および照明光を照射する照明部と、該照明部からの励起光の照射により前記被写体において発生した蛍光を撮影し蛍光画像を取得する蛍光撮像部と、前記照明部からの照明光の照射により前記被写体から戻る戻り光を撮影し戻り光画像を取得する戻り光撮像部と、前記蛍光撮像部により取得された前記蛍光画像および／または前記戻り光撮像部により取得された前記戻り光画像を表示する表示部と、前記蛍光画像から所定の階調値閾値を超える階調値を有し、かつ、該階調値と該階調値以外の特徴量とを乗算したインデックス値が、所定のインデックス閾値を超える領域を注目領域として抽出する抽出部と、該抽出部により前記注目領域が抽出されていないときには前記戻り光画像のみを前記表示部に表示し、前記注目領域が抽出されたときには、前記戻り光画像および前記蛍光画像を前記表示部に表示するように切り替える画像切替部とを備える蛍光観察装置を提供する。【００２２】
本発明によれば、インデックス値を用いて注目領域を抽出することにより、蛍光画像の階調値が大きいことに加え、他の特徴量が大きいという条件も加味して注目領域を抽出することができ、観察者が、詳細に観察したいと考える注目領域をより精度よく検出して、観察者の負担を軽減することができる。【００２３】
階調値以外の特徴量としては、例えば、階調値閾値を超える階調値を有する領域に対応する戻り光画像の領域における赤色の強度を挙げることができる。このようにすることで、例えば、被写体として病変部を有する組織を観察している場合に、蛍光の強度が強く、病変部の疑いがある領域の内、赤色が強く血管新生が覆い領域を腫瘍等の虞が高い領域として精度よく検出することができる。単に蛍光強度が高い領域を逐一詳細に観察する場合よりも観察者にかかる負担は軽減される。【００２４】
上記発明においては、観察者が入力を行う入力部とを備え、前記画像切替部は、前記抽出部により前記注目領域が抽出されたときに、抽出された前記注目領域の情報を前記戻り光画像と対応づけて表示するとともに、表示された前記情報に対応する前記注目領域の観察の要否について観察者に入力を促す表示を行うように前記表示部による表示を切り替えるとともに、前記入力部から観察が必要である旨の入力が行われた場合に、前記戻り光画像および前記蛍光画像を前記表示部に表示するように切り替えてもよい。【００２５】
また、上記発明においては、観察条件を変更するために着脱される、識別情報を記憶した着脱部品と、該着脱部品に記憶された識別情報を読み取る識別情報読取部と、前記識別情報と前記階調値閾値とを対応づけて記憶する閾値記憶部とを備え、前記抽出部が、取り付けた着脱部品の識別情報に対応して前記閾値記憶部に記憶されている前記階調値閾値を用いて前記注目領域を抽出してもよい。【００２６】
このようにすることで、観察条件を変更するために着脱部品を着脱すると、着脱部品の光学性能や個体差により、感度が変化しても、着脱部品に適した階調値閾値によって注目領域を精度よく抽出することができる。【００２７】
また、上記発明においては、使用する蛍光薬剤の情報を入力する情報入力部を備え、前記抽出部が、前記情報入力部から入力された蛍光薬剤の情報に基づいて前記階調値閾値を調節し、調節された前記階調値閾値を超える領域を前記注目領域として抽出してもよい。
このようにすることで、使用する蛍光薬剤が変化することにより、蛍光画像のコントラストが変化しても、蛍光薬剤の情報に基づいて調節された階調値閾値により、注目領域を精度よく抽出することができる。【００２８】
また、本発明の第２の態様は、被写体に対して励起光および照明光を照射し、励起光の照射により前記被写体において発生した蛍光を撮影して蛍光画像を取得するとともに、照明光の照射により前記被写体から戻る戻り光を撮影し戻り光画像を取得する蛍光観察装置の画像表示方法であって、前記蛍光画像から所定の階調値閾値を超える階調値を有する領域を注目領域として抽出し、前記注目領域が抽出されていないときに、前記戻り光画像のみを表示し、前記注目領域が抽出されたときに、前記戻り光画像および前記蛍光画像を並列して表示する画像表示方法を提供する。【００２９】
本発明の第２の態様によれば、励起光の照射により、被写体内に含まれる蛍光物質が励起されて発生した蛍光が撮影され、蛍光画像が取得されるとともに、照明光の照射により、被写体から戻る戻り光が撮影され、戻り光画像が取得される蛍光観察装置において、取得された蛍光画像から、階調値閾値を超える階調値を有する領域が注目領域として抽出される。【００３０】
そして、注目領域が抽出されていない状態では、戻り光画像のみが表示され、注目領域が抽出されたときには、戻り光画像と蛍光画像とが並列表示される。これにより、戻り光画像のみが表示されている状態では、観察者は戻り光画像のみを注視して観察を行うことができる。一方、戻り光画像に加えて蛍光画像が並列表示されたときには、観察者は注目領域の存在を認識することができ、戻り光画像および蛍光画像の両方を確認しながら観察を行うことができる。【００３１】
その結果、蛍光画像に注目すべき領域が存在しない段階において、観察者が戻り光画像および蛍光画像の両方に注意を払う必要がなく、観察者は戻り光画像のみに注視しながら観察を行うことができ、観察者にかかる負担を軽減することができる。また、注目領域が抽出されたときには、蛍光画像が並列表示されることにより、観察者に注目領域の存在を報知することができ、注目領域の見落としをより確実に防止することができる。
【発明の効果】
【００３２】
本発明によれば、観察者の負担を軽減しつつ、注目領域を見逃すことなく、かつ、被写体の正確な観察場所を把握しながら、観察を行うことができるという効果を奏する。
【図面の簡単な説明】
【００３３】
【図１】本発明の第１の実施形態に係る蛍光観察装置を示す全体構成図である。
【図２】図１の蛍光観察装置による画像表示方法を説明するフローチャートである。
【図３Ａ】図１の蛍光観察装置により生成された通常モードにおける表示画像例を示す図である。
【図３Ｂ】図１の蛍光観察装置により生成された精査モードにおける表示画像例を示す図である。
【図４】図２の画像表示方法の変形例を示すフローチャートである。
【図５】本発明の第２の実施形態に係る蛍光観察装置を示す全体構成図である。
【図６】図５の蛍光観察装置により画像表示方法を説明するフローチャートである。
【図７】図５の蛍光観察層により生成された問い合わせモードの表示画像例を示す図である。
【図８】図７の表示画像例の変形例を示す図である。
【図９Ａ】図７の表示画像例の他の変形例であって問い合わせモードにおける表示画像例を示す図である。
【図９Ｂ】図７の表示画像例の他の変形例であって精査モードにおける表示画像例を示す図である。
【図１０】図４の蛍光観察装置の変形例を示す全体構成図である。
【図１１】本発明の第３の実施形態に係る蛍光観察装置を示す全体構成図である。
【図１２】本発明の第４の実施形態に係る蛍光観察装置を示す全体構成図である。
【図１３】本発明の第５の実施形態に係る蛍光観察装置を示す全体構成図である。
【図１４】図１３の蛍光観察装置の変形例を示す全体構成図である。
【発明を実施するための形態】
【００３４】
本発明の第１の実施形態に係る蛍光観察装置１について、図面を参照して以下に説明する。
本実施形態に係る蛍光観察装置は、内視鏡であって、図１に示されるように、体内に挿入される細長い挿入部２と、光源（照明部）３と、該光源３からの励起光および照明光を挿入部２の先端から被写体Ａに向けて照射する照明ユニット（照明部）４と、挿入部２の先端に設けられ、被写体Ａである生体組織の画像情報を取得する撮像ユニット５と、挿入部２の基端側に配置され、撮像ユニット５により取得された画像情報を処理する画像処理部６と、該画像処理部６により処理された画像を表示するモニタ７とを備えている。
【００３５】
光源３は、キセノンランプ８と、該キセノンランプ８から発せられた光から、励起光および照明光（例えば、波長帯域４００〜７４０ｎｍ）を切り出すフィルタ９と、該フィルタ９により切り出された励起光および照明光を集光するカップリングレンズ１０を備えている。
照明ユニット４は、挿入部２の長手方向のほぼ全長にわたって配置され、カップリングレンズ１０によって集光された励起光および照明光を導光するライトガイドファイバ１１と、挿入部２の先端に設けられ、ライトガイドファイバ１１によって導光されてきた励起光および照明光を拡散させて、挿入部２の先端面２ａに対向する被写体Ａに照射する照明光学系１２とを備えている。
【００３６】
撮像ユニット５は、被写体Ａの所定の観察範囲から戻る光を集光する対物レンズ１３と、該対物レンズ１３によって集光された光のうち、励起波長以上の光（励起光および蛍光）を反射し、励起波長より短い波長の白色光（戻り光）を透過するダイクロイックミラー１４と、該ダイクロイックミラー１４により反射された蛍光およびダイクロイックミラー１４を透過した白色光をそれぞれ集光する２つの集光レンズ１５，１６と、該集光レンズ１５，１６によって集光された白色光および蛍光を撮影するＣＣＤのような２個の撮像素子１７，１８とを備えている。図中、ダイクロイックミラー１４によって反射された光のうち励起光を遮断する（例えば、波長帯域７６０〜８５０ｎｍの光だけを透過する）励起光カットフィルタ１９である。
【００３７】
画像処理部６は、撮像素子１８により取得された白色光画像情報Ｃ１から白色光画像Ｇ１を生成する白色光画像生成部２０と、撮像素子１７により取得された蛍光画像情報Ｃ２から蛍光画像Ｇ２を生成する蛍光画像生成部２１と、蛍光画像Ｇ２を白色光画像Ｇ１により規格化した補正蛍光画像Ｇ２’を生成する補正蛍光画像生成部２２と、白色光画像Ｇ１および／または蛍光画像Ｇ２からモニタ７に表示する表示画像Ｇを生成する表示画像生成部２３と、補正蛍光画像生成部２２により生成された補正蛍光画像Ｇ２’から注目領域Ｒを抽出する抽出部２４と、該抽出部２４により抽出された注目領域Ｒに応じて、前記表示画像生成部２３により生成する表示画像Ｇを切り替える画像切替部２５とを備えている。
【００３８】
図２に画像処理部６の処理順序のフローチャートを示す。
白色光画像生成部２０および蛍光画像生成部２１により白色光画像Ｇ１および蛍光画像Ｇ２が生成されると、補正蛍光画像生成部２２は、生成された蛍光画像Ｇ２を白色光画像Ｇ１によって除算することにより、補正蛍光画像Ｇ２’を生成するようになっている（ステップＳ１）。
【００３９】
抽出部２４は、補正蛍光画像Ｇ２’の各画素の階調値の内、予め設定された第１の閾値（階調値閾値）以上の階調値を有する画素を選択することにより、複数画素を含む１以上の領域を注目領域Ｒとして抽出するようになっている（ステップＳ２）。
画像切替部２５は、抽出部２４により抽出された注目領域Ｒ内に含まれる各画素の階調値を注目領域Ｒ毎に受け取って、当該注目領域Ｒ内に含まれる画素の階調値を加算平均して平均階調値を算出し（ステップＳ３）、該平均階調値が、第２の閾値を超えているか否かを判定するようになっている（ステップＳ４）。
【００４０】
そして、画像切替部２５は、平均階調値が第２の閾値より小さい場合には、「通常モード」、平均階調値が第２の閾値以上の場合には、「精査モード」を指示する指示信号Ｃ３を表示画像生成部２３に出力するようになっている（ステップＳ５，Ｓ６）。通常モードが選択された場合には、他の注目領域Ｒについても平均階調値の算出と判定とが行われるようになっている（ステップＳ７）。
【００４１】
表示画像生成部２３には、白色光画像生成部２０からの白色光画像Ｇ１、蛍光画像生成部２１からの蛍光画像Ｇ２および画像切替部２５からの指示信号Ｃ３が入力されるようになっている。表示画像生成部２３は、画像切替部２５からの「通常モード」を指示する指示信号Ｃ３が入力されたときには、表示画像Ｇとして図３Ａに示されるように白色光画像のみからなるものを生成してモニタ７に出力するようになっている。また、表示画像生成部は、「精査モード」を指示する指示信号Ｃ３が入力されたときには、表示画像Ｇとして図３Ｂに示されるように白色光画像Ｇ１と蛍光画像Ｇ２とを並列して合成したものを生成してモニタ７に出力するようになっている（ステップＳ８）。
【００４２】
このように構成された本実施形態に係る蛍光観察装置１の作用について以下に説明する。
本実施形態に係る蛍光観察装置１を用いて被写体Ａである患者の体内の生体組織の観察を行うには、体内に挿入部２を挿入して、挿入部２の先端面２ａを被写体Ａに対向させる。そして、光源３を作動させて、励起光および照明光を発生させ、カップリングレンズ１０によってライトガイドファイバ１１に入射させる。ライトガイドファイバ１１内を導光されて挿入部２の先端に達した励起光および照明光は、挿入部２先端の照明光学系１２によって拡散されて被写体Ａに照射される。
【００４３】
被写体Ａにおいては、内部に含まれている蛍光物質が励起光によって励起されることにより蛍光が発せられるとともに、被写体Ａの表面において白色光が反射させられる。蛍光および照明光の反射光（白色光）は、被写体Ａの一部の観察範囲から挿入部２の先端面２ａに戻り、対物レンズ１３によって集光される。
【００４４】
対物レンズ１３によって集光された蛍光および白色光はダイクロイックミラー１４によって波長毎に分岐され、ダイクロイックミラー１４を透過した光、例えば、４００〜７００ｎｍの波長帯域の白色光は、集光レンズ１６によって集光され、撮像素子１８により白色光画像情報Ｃ１として取得される。
【００４５】
また、対物レンズ１３によって集光された蛍光および白色光の内、ダイクロイックミラー１４において反射された光、例えば、７００〜８５０ｎｍの波長帯域の励起光を含む蛍光は、励起光カットフィルタ１９によって励起光（例えば７４０ｎｍ以下の光）が除去された後に、集光レンズ１５によって集光されて撮像素子１７によって蛍光画像情報Ｃ２として取得される。
【００４６】
以下に、本実施形態に係る蛍光観察装置１の画像表示方法について説明する。
各撮像素子１７，１８によって取得された画像情報Ｃ１，Ｃ２は、画像処理部６に送られる。画像処理部６においては、白色光画像情報Ｃ１が白色光画像生成部２０に入力されて白色光画像Ｇ１が生成される。一方、蛍光画像情報Ｃ２が蛍光画像生成部２１に入力されて蛍光画像Ｇ２が生成される。
【００４７】
生成された白色光画像Ｇ１および蛍光画像Ｇ２は、補正蛍光画像生成部２２に送られて、蛍光画像Ｇ２が白色光画像Ｇ１によって除算される。これにより、規格化された補正蛍光画像Ｇ２’が生成される。
補正蛍光画像生成部２２において生成された補正蛍光画像Ｇ２’は、抽出部２４に送られ、そこで、第１の閾値以上の階調値を有する注目領域Ｒが抽出され、その情報が画像切替部２５に送られる。
【００４８】
画像切替部２５においては、抽出部２４から送られてきた注目領域Ｒの情報を用いて、注目領域Ｒ毎に、その平均階調値が算出されるとともに、算出された平均階調値が第２の閾値と比較される。そして、平均階調値が第２の閾値以上となる注目領域Ｒが存在しない場合には「通常モード」を指示する指示信号Ｃ３が表示画像生成部２３に送られて、白色光画像Ｇ１のみを含む表示画像Ｇが生成され、モニタ７に表示される。
【００４９】
一方、画像切替部２５において、抽出部２４から送られてきた注目領域Ｒの平均階調値が、第２の閾値以上となる注目領域Ｒが存在する場合には「精査モード」を指示する指示信号Ｃ３が表示画像生成部２３に送られて、白色光画像Ｇ１と蛍光画像Ｇ２とを並列に合成した表示画像Ｇが生成されて、モニタ７に表示される。
【００５０】
このように、本実施形態に係る蛍光観察装置１とその画像表示方法によれば、医師等の観察者が挿入部２を操作して患者の体内に挿入していく際に、挿入部２の先端が病変部等の観察部位に到達するまでの状態では、取得される蛍光画像Ｇ２内には、蛍光物質の濃度の高い領域が存在せず、画像切替部２５には、抽出部２４から注目領域Ｒの情報が送られない。したがって、画像切替部２５は、「通常モード」を指示する指示信号Ｃ３を表示画像生成部２３に送り、モニタ７上には、白色光画像Ｇ１のみからなる表示画像Ｇが表示される。
【００５１】
したがって、挿入部２を体内に挿入していく挿入操作の際に、観察者はモニタ７に表示された白色光画像Ｇ１のみを注視すればよい。その結果、必要な情報の含まれていない蛍光画像Ｇ２によって煩わされることなく、白色光画像Ｇ１によって体内の生体組織の形態的特徴を観察しながら挿入作業を行うことに注意力を注ぐことができ、観察場所を正確に確認しながら挿入部２の操作を行うことができる。
【００５２】
一方、挿入部２の挿入作業が進行して、挿入部２の先端が病変部等の観察部位近傍に到達したときには、抽出部２４が蛍光画像Ｇ２内から第１の閾値以上の階調値を有する注目領域Ｒを抽出するようになる。注目領域Ｒが抽出されると、抽出部２４はその情報、注目領域Ｒを構成する各画素の位置および階調値を画像切替部２５に送る。画像切替部２５は、注目領域Ｒの情報が送られてくると、平均階調値を注目領域Ｒ毎に算出し、算出された平均階調値と第２の閾値とを比較する。
【００５３】
画像切替部２５は、比較の結果、平均階調値が第２の閾値より小さい場合には、「通常モード」を指示する指示信号Ｃ３を表示画像生成部２３に送るので、モニタ７には白色光画像Ｇ１のみの表示画像Ｇの表示が維持される。すなわち、蛍光画像Ｇ２内に注目領域Ｒが存在しても、その平均階調値が小さい場合には、蛍光画像Ｇ２が表示されない。したがって、この場合においても、観察者は必要な情報の含まれていない蛍光画像Ｇ２によって煩わされることなく、白色光画像Ｇ１によって体内の生体組織の形態的特徴を観察しながら挿入作業を行うことに注意力を注ぐことができるという利点がある。
【００５４】
そして、画像切替部２５における比較の結果、平均階調値が第２の閾値以上となる注目領域Ｒが存在する場合には、「精査モード」を指示する指示信号Ｃ３が表示画像生成部２３に送られて、白色光画像Ｇ１と蛍光画像Ｇ２とを並列させた表示画像Ｇが生成され、モニタ７の表示が切り替わる。
すなわち、モニタ７上の表示画像Ｇの表示形式が切り替わって蛍光画像Ｇ２が表示されると、観察者は、必要な情報を含む注目領域Ｒが存在することを認識し、白色光画像Ｇ１に加えて蛍光画像Ｇ２にも注意力を注ぐことができる。
【００５５】
その結果、観察者は、挿入作業の途中においても病変部等の観察部位の存在を認識でき、観察部位を見落としたまま挿入作業が進行されてしまう不都合の発生を、より確実に防止することができるという利点がある。
【００５６】
なお、本実施形態においては、抽出部２４において抽出された注目領域Ｒの平均階調値が第２の閾値以上の場合に、モニタ７の表示を精査モードに切り替えることとしたが、これに代えて、図４に示されるように、第１の閾値以上の階調値を有する領域であるとして抽出された注目領域Ｒの画素数を注目領域Ｒ毎に算出し（ステップＳ３’）、算出された画素数が第３の閾値（面積閾値）以上の注目領域Ｒが存在する場合に、モニタ７の表示を精査モードに切り替えることにしてもよい（ステップＳ４’）。
【００５７】
このようにすることで、一定の面積以上の注目領域Ｒのみによって画面切替の要否を判定することにより、階調値が高くても面積が小さい領域によっては、蛍光画像Ｇ２が表示されないので、ノイズにより頻繁に蛍光画像Ｇ２が表示されてしまう不都合の発生を抑制して、観察者の負担を大幅に軽減することができる。
【００５８】
一方、平均階調値のみによって、画面切替の要否を判定する場合には、階調値は高いが面積が小さい注目領域Ｒも観察を要する領域として蛍光画像Ｇ２が表示されるため、注目領域Ｒの見落としを少なくすることができる。
【００５９】
また、本実施形態においては、第１の閾値以上の階調値を有する注目領域の内、平均階調値が第２の閾値以上の注目領域が存在する場合に精査モードに移行することとしたが、第１の閾値以上の階調値を有する注目領域が抽出されたことにより精査モードに移行することにしてもよい。
【００６０】
次に、本発明の第２の実施形態に係る蛍光観察装置３０について、図面を参照して以下に説明する。
本実施形態の説明において、上述した第１の実施形態に係る蛍光観察装置１と構成を共通とする箇所には同一符号を付して説明を省略する。
【００６１】
本実施形態に係る蛍光観察装置３０は、図５に示されるように、観察者が入力するための入力部３１を有する点、および、画像切替部２５および表示画像生成部２３の動作において第１の実施形態に係る蛍光観察装置１と相違している。
【００６２】
入力部３１は、例えば、押しボタンやフットスイッチ、あるいはキーボードやマウス等の任意の入力装置であって、表示画像生成部２３に接続されている。
画像切替部２５は、抽出部２４から抽出された注目領域Ｒの階調値を受け取ると、全ての注目領域Ｒについて平均階調値を算出し、該平均階調値が第２の閾値以上か否かを判定する。
【００６３】
さらに、本実施形態においては画像切替部２５は、図６に示されるように、平均階調値が第２の閾値以上となった注目領域Ｒについては、注目領域情報Ｃ４を生成して（ステップＳ１０）、「問い合わせモード」への切替指示Ｃ５とともに表示画像生成部２３に送るようになっている（ステップＳ１１）。
【００６４】
注目領域情報Ｃ４としては、各注目領域Ｒの位置および輪郭線や各注目領域Ｒの中心位置および最大階調値を挙げることができる。
表示画像生成部２３は、画像切替部２５から「問い合わせモード」への切替指示Ｃ５が送られてくると、同時に送られてきた注目領域情報Ｃ４を白色光画像Ｇ１に重畳した問い合わせ用の表示画像Ｇを生成し（ステップＳ１２）、観察の要否について観察者に入力を促す表示（例えば、「詳細な観察が必要か（Ｙ／Ｎ）？」等）とともにモニタ７に出力するようになっている。
【００６５】
図７は、注目領域情報Ｃ４として、注目領域Ｒの位置および輪郭線が送られてきた場合の問い合わせモードにおける表示画像Ｇの例である。また、図８は、注目領域情報Ｃ４として、注目領域Ｒの中心位置および最大階調値が送られてきた場合の問い合わせモードにおける表示画像Ｇの例である。
【００６６】
これらの表示画像Ｇを確認した観察者が、入力部３１を用いて詳細な観察が必要であるとする入力（Ｙ入力）を行った場合には（ステップＳ１３）、精査モードＳ６に移行して、表示画像生成部２３は、図３Ｂに示されるような白色光画像Ｇ１と蛍光画像Ｇ２とを並列配置した表示画像Ｇを生成し（ステップＳ８）、モニタ７に送るようになっている。
【００６７】
また、観察者が、入力部３１を用いて、詳細な観察は不要であるとする入力（Ｎ入力）を行った場合、あるいは、入力が行われないまま、所定時間が経過した場合（ステップＳ１４）には、通常モードＳ１５に移行して、表示画像生成部２３は、図３Ａに示されるような白色光画像Ｇ１のみからなる表示画像Ｇを生成し、モニタ７に送るようになっている。
【００６８】
このように本実施形態に係る蛍光観察装置３０によれば、平均階調値が第２の閾値を超えた場合に、一律に精査モードに移行するのではなく、観察者が必要と判断した場合にのみ精査モードに移行するので、観察者の負担をさらに軽減することができるという利点がある。
【００６９】
なお、本実施形態においては、精査モードでは、白色光画像Ｇ１と蛍光画像Ｇ２とを並列配置した表示画像Ｇを生成したが、これに代えて、図９Ａに示される問い合わせモードでの表示から、図９Ｂに示される精査モードでの表示に移行する際に、拡大した白色光画像Ｇ１（図９Ａの鎖線部分に対応。）および蛍光画像Ｇ２を並列配置した表示画像Ｇを生成してもよい。
【００７０】
また、この場合に、拡大された白色光画像Ｇ１および蛍光画像Ｇ２は、画像処理により生成してもよいし、図１０に示されるように、光学的に倍率を変更する変倍機構３２を設けて、拡大画像を取得することにしてもよい。図１０に示す例では、変倍機構３２は、各撮像素子１７，１８を光軸方向に移動させるスライド機構であり、入力部３１を介して観察者がＹ入力を行ったときに、変倍機構３２により、撮像素子１７，１８を集光レンズ１５，１６から離れる方向に移動させる制御部３３を備えている。これにより、鮮明な拡大画像を得ることができ、精査モードにおいて精密な観察を行うことができるという利点がある。
【００７１】
次に、本発明の第３の実施形態に係る蛍光観察装置４０について図面を参照して以下に説明する。
本実施形態の説明において、上述した第２の実施形態に係る蛍光観察装置３０と構成を共通とする箇所には同一符号を付して説明を省略する。
【００７２】
本実施形態に係る蛍光観察装置４０は、図１１に示されるように、入力部３１から観察者により入力が行われたときに、表示している白色光画像Ｇ１、注目領域Ｒの位置と輪郭線、および入力結果を対応づけて記憶する記憶部４１を備えている。
また、画像切替部２５は、抽出部２４からの注目領域Ｒの情報に加えて白色光画像生成部２０から白色光画像Ｇ１を受け取るようになっている。
【００７３】
そして、画像切替部２５は、抽出部２４から注目領域Ｒの位置および輪郭線が送られてきたときに、その時点で入力されている白色光画像Ｇ１に対応する画像を記憶部４１に記憶されている過去の白色光画像Ｇ１から検索するようになっている。さらに、画像切替部２５は、検索された過去の白色光画像Ｇ１に対応づけて記憶されている注目領域Ｒと抽出部２４から送られてきた注目領域Ｒとが一致するか否かを判定するようになっている。
【００７４】
判定の結果、一致する過去の注目領域Ｒが存在する場合には、当該過去の注目領域Ｒに対応づけて記憶されている入力結果とともに、一致する過去の注目領域Ｒが存在しない場合には、その旨とともに「問い合わせモード」に移行することを指示する指示信号Ｃ４を表示画像生成部２３に出力するようになっている。
【００７５】
表示画像生成部２３は、例えば、画像切替部２５から送られてきた指示信号Ｃ４に応じて、例えば、過去にＹ入力がされていた注目領域Ｒである場合には、注目領域Ｒの輪郭を赤色で、Ｎ入力がされていた注目領域Ｒである場合には、注目領域Ｒの輪郭を青色で、過去に抽出された注目領域Ｒではない場合には、注目領域Ｒの輪郭を黄色で表示する表示画像Ｇを生成するようになっている。
【００７６】
このようにすることで、観察者は、モニタ７に白色光画像Ｇ１に重ね合わせて表示された注目領域Ｒの色を見るだけで、過去に一度判定した領域であるか否か、そのときの判定結果は何であったのかを確認することができる。したがって、観察者は、過去に一度でも抽出されたことがある注目領域Ｒ（赤色および青色）については、入力部３１からＮ入力を行うことで、重複した観察を行わずに済み、一度も抽出されていなかった注目領域Ｒ（黄色）についてのみ効率的に観察を行うことができる。
【００７７】
また、観察者は、過去に抽出されたことがある注目領域Ｒであって、そのときの入力結果がＹ入力であった注目領域Ｒ（赤色）については、再観察を行うためにＹ入力を行い、そのときの入力結果がＮ入力であって注目領域Ｒ（青色）については、重複した観察を回避するために、Ｎ入力を行うというような判断を簡易に行うことができる。
【００７８】
なお、本実施形態においては、問い合わせモードにおける表示として、注目領域Ｒの輪郭を表示する例を示したが、これに代えて、注目領域Ｒの位置を矢印で表示したり、注目領域Ｒを示す蛍光画像Ｇ２自体を半透明にして白色光画像Ｇ１に重畳してもよい。また、注目領域Ｒの輪郭の色を異ならせることで、過去の入力結果等を区別することとしたが、これに代えて、文字その他の方法によって区別することとしてもよい。また、過去に抽出された注目領域Ｒであって、一度Ｎ入力がなされたものについては、問い合わせモードに移行することなく通常モードでの表示を継続することとしてもよい。
【００７９】
次に、本発明の第４の実施形態に係る蛍光観察装置５０について図面を参照して以下に説明する。
本実施形態の説明において、上述した第１の実施形態に係る蛍光観察装置１と構成を共通とする箇所には同一符号を付して説明を省略する。
【００８０】
本実施形態に係る蛍光観察装置５０は、図１２に示されるように、第１の実施形態に係る蛍光観察装置１において、抽出部２４が抽出した注目領域Ｒが第２の閾値以上の平均階調値を有する場合に表示を切り替えることとしたのに対し、インデックス値が第４の閾値（インデックス閾値）以上となる場合に表示を切り替えることとしている点において相違している。
【００８１】
インデックス値ＩＮＤＥＸとしては、例えば、抽出部２４により抽出された注目領域Ｒの平均階調値ＭＦと、当該注目領域Ｒに対応する白色光画像Ｇ１内の対応領域における赤色の強度の平均値ＭＲとを乗算することにより算出したものを採用する。
ＩＮＤＥＸ＝ＭＦ×ＭＲ
【００８２】
このため、画像切替部２５には、白色光画像生成部２０において生成された白色光画像Ｇ１が入力されている。画像切替部２５においては、抽出部２４によって注目領域Ｒが抽出されてきたときに、その時点で送られてきている白色光画像Ｇ１において注目領域Ｒに対応する対応領域を抽出するとともに、その対応領域内における赤色の強度の平均値ＭＲを算出するようになっている。
【００８３】
さらに、画像切替部２５は、上記式によりインデックス値ＩＮＤＥＸを算出し、予め設定されている第４の閾値以上となった場合に、「精査モード」を指示する指示信号Ｃ３を表示画像生成部２３に送るようになっている。
このように、本実施形態に係る蛍光観察装置５０によれば、階調値が第１の閾値以上であることに加えて、赤色の強度が第４の閾値以上である領域が存在する場合に、モニタ７の表示が精査モードに切り替えられる。
【００８４】
蛍光観察装置５０が内視鏡である場合に、蛍光画像Ｇ２における蛍光強度が高いことは、病変部に集積しやすい蛍光物質が多く存在していることを示し、白色光画像Ｇ１における赤色の強度が高いことは、当該領域における血管の密度が大きいことを示している。癌等の腫瘍部においては血管新生が多く見られることから血管の密度が大きくなっている場合が多い。
【００８５】
したがって、インデックス値ＩＮＤＥＸにより表示の切替を判断することにより、蛍光の階調値のみによって判断する場合と比較して、より精密に病変部、特に、腫瘍部を検出して、観察者に注意を促すことができるという利点がある。
なお、本実施形態においては、注目領域Ｒの平均階調値ＭＦと当該注目領域Ｒに対応する白色光画像Ｇ１内の対応領域における赤色の強度の平均値ＭＲとを乗算することにより、インデックス値を算出しているが、乗算に限らずこれらを加算したものや重み付け係数を乗算した後に加算した値を用いることにしてもよい。
【００８６】
次に、本発明の第５の実施形態に係る蛍光観察装置６０について図面を参照して以下に説明する。
本実施形態の説明において、上述した第１の実施形態に係る蛍光観察装置１と構成を共通とする箇所には同一符号を付して説明を省略する。
【００８７】
本実施形態に係る蛍光観察装置６０においては、図１３に示されるように、観察対象部位に応じて交換できるように、光源３および画像処理部６に対して着脱可能な挿入部（着脱部品）２を備えている。挿入部２には、該挿入部２の識別情報を記憶するＩＣチップ６１が設けられている。
また、挿入部２が取り付けられる光源３側にＩＣチップ６１内の識別情報を読み取る読取装置６２が備えられている。
【００８８】
さらに、画像処理部６には、識別情報と閾値とを対応づけて記憶する閾値記憶部６３が備えられ、抽出部２４に接続されている。
挿入部２が取り付けられると、該挿入部２に設けれられているＩＣチップ６１内の識別情報が読取装置６２によって読み取られ、画像処理部６に送られるようになっている。
【００８９】
画像処理部６においては、送られてきた識別情報に対応する閾値が閾値記憶部６３から読み出され、抽出部２４により抽出された注目領域Ｒに基づく表示を切り替えるための第２の閾値または第３の閾値として使用されるようになっている。例えば、蛍光観察装置６０が内視鏡である場合に、光源３に対して着脱される挿入部２が細径であるか太径であるかに応じて、異なる第２の閾値を使用するようになっている。
【００９０】
すなわち、細径の挿入部２においては、一般的に太径の挿入部２よりも照明光量が相対的に低くなるため、取得される蛍光の強度も低くなる。したがって、細径の挿入部２の方が太径の挿入部２よりも小さい第２の閾値となるように、閾値記憶部６３に設定されている。
【００９１】
また、大腸の病変（ポリープ）等は、食道の病変（扁平上皮癌）等と比較して相対的に大きい。したがって、大腸用の挿入部２の場合には、食道用の挿入部２の場合と比較して小さい第３の閾値が設定されるように、閾値記憶部６３に設定されている。
【００９２】
本実施形態に係る蛍光観察装置６０によれば、挿入部２を交換すると、交換された挿入部２に適した閾値が閾値記憶部６３から読み出されて設定されるので、取り付けた挿入部２の種類に拘わらず、適正な表示の切替を自動的に行うことができる。
【００９３】
なお、本実施形態においては、挿入部２のような着脱部品の種類に応じて適正な閾値が選択されるようにしたが、これに代えて、使用する蛍光薬剤の種類に応じて適切な閾値が選択されるようにしてもよい。この場合には、図１４に示されるように、蛍光薬剤の種類を入力する薬剤情報入力部６４が画像切替部２５に接続されているとともに、蛍光薬剤の種類と閾値とを対応づけて記憶する閾値記憶部６５が画像切替部２５に接続されていればよい。
【００９４】
例えば、蛍光強度が高い蛍光薬剤の場合には、大きな第２の閾値が設定され、蛍光強度が低い蛍光薬剤の場合には、小さいな第２の閾値が設定されるように、蛍光薬剤の種類と閾値とが対応づけて記憶されていればよい。
【００９５】
このようにすることで、薬剤情報入力部６４を介して薬剤蛍光の種類が入力されると、画像切替部２５は、入力された薬剤蛍光の種類を用いて閾値記憶部６５内を検索し、対応する閾値を呼び出して、蛍光薬剤の種類に拘わらず、「精査モード」か「通常モード」かの判断を適正に行うことができる。
【符号の説明】
【００９６】
Ａ  被写体
Ｇ１  白色光画像（戻り光画像）
Ｇ２  蛍光画像
Ｒ  注目領域
Ｓ２  注目領域抽出ステップ
Ｓ５  通常モードへの切替ステップ
Ｓ６  精査モードへの切替ステップ
１，３０，４０，５０，６０  蛍光観察装置
２  挿入部（着脱部品）
３  光源（照明部）
４  照明ユニット（照明部）
７  モニタ（表示部）
２０  白色光画像生成部（戻り光撮像部）
２１  蛍光画像生成部（蛍光撮像部）
２４  抽出部
２５  画像切替部
３１  入力部
３２  変倍機構
４１  記憶部
６１  ＩＣチップ（識別情報）
６２  読取装置（識別情報読取部）
６３  閾値記憶部
６４  薬剤情報入力部（情報入力部）
【図１】
2012147820.tif 000003
【図２】
2012147820.tif 000004
【図３Ａ】
2012147820.tif 000005
【図３Ｂ】
2012147820.tif 000006
【図４】
2012147820.tif 000007
【図５】
2012147820.tif 000008
【図６】
2012147820.tif 000009
【図７】
2012147820.tif 000010
【図８】
2012147820.tif 000011
【図９Ａ】
2012147820.tif 000012
【図９Ｂ】
2012147820.tif 000013
【図１０】
2012147820.tif 000014
【図１１】
2012147820.tif 000015
【図１２】
2012147820.tif 000016
【図１３】
2012147820.tif 000017
【図１４】
2012147820.tif 000018
【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
被写体に対し、励起光および照明光を照射する照明部と、
該照明部からの励起光の照射により前記被写体において発生した蛍光を撮影し蛍光画像を取得する蛍光撮像部と、
前記照明部からの照明光の照射により前記被写体から戻る戻り光を撮影し戻り光画像を取得する戻り光撮像部と、
前記蛍光撮像部により取得された前記蛍光画像および／または前記戻り光撮像部により取得された前記戻り光画像を表示する表示部と、
前記蛍光画像から所定の階調値閾値を超える階調値を有する領域を注目領域として抽出する抽出部と、
該抽出部により前記注目領域が抽出されていないときには前記戻り光画像のみを前記表示部に表示し、前記注目領域が抽出されたときには、前記戻り光画像および前記蛍光画像を並列して前記表示部に表示するように切り替える画像切替部とを備える蛍光観察装置。
【請求項２】
観察者が入力を行う入力部を備え、
前記画像切替部は、前記抽出部により前記注目領域が抽出されたときに、抽出された前記注目領域の情報を前記戻り光画像上に重畳して表示するとともに、表示された前記情報に対応する前記注目領域の観察の要否について観察者に入力を促す表示を行うように前記表示部による表示を切り替えるとともに、前記入力部から観察が必要である旨の入力が行われた場合に、前記戻り光画像および前記蛍光画像を前記表示部に表示するように切り替える請求項１に記載の蛍光観察装置。
【請求項３】
前記入力部から入力が行われた場合に、入力時に前記表示部に表示されている前記戻り光画像および前記抽出部により抽出された前記注目領域と入力内容とを対応づけて記憶する記憶部を備え、
前記画像切替部は、前記抽出部により前記注目領域が抽出されたときに、抽出された前記注目領域および該注目領域に対応する戻り光画像と、前記記憶部に記憶されている過去の前記注目領域および過去の戻り光画像とを対比し、一致している場合には、前記記憶部に対応づけて記憶されている入力内容に応じて異なる表示を行う請求項２に記載の蛍光観察装置。
【請求項４】
前記注目領域の情報が、前記戻り光画像上における前記注目領域の位置である請求項２または請求項３に記載の蛍光観察装置。
【請求項５】
前記注目領域の情報が、前記戻り光画像上における前記注目領域の位置および平均階調値である請求項２または請求項３に記載の蛍光観察装置。
【請求項６】
前記注目領域の情報が、前記戻り光画像上における前記注目領域の輪郭線である請求項２または請求項３に記載の蛍光観察装置。
【請求項７】
前記画像切替部が、前記抽出部により前記注目領域が抽出されたときには、前記戻り光画像および前記蛍光画像を拡大して表示する請求項２または請求項３に記載の蛍光観察装置。
【請求項８】
前記蛍光撮像部および前記戻り光撮像部が、取得する画像の倍率を変更する変倍機構をそれぞれ備え、
前記入力部から観察が必要である旨の入力が行われた場合に、
各前記変倍機構を作動させて前記蛍光撮像部および前記戻り光撮像部により高倍率の蛍光画像および戻り光画像を取得させ、
前記画像切替部が、取得された高倍率の前記蛍光画像および前記戻り光画像を表示する請求項２または請求項３に記載の蛍光観察装置。
【請求項９】
前記画像切替部が、前記入力部から観察が不要である旨の入力が行われた場合に、前記戻り光画像のみの表示に切り替える請求項２または請求項３に記載の蛍光観察装置。
【請求項１０】
前記抽出部が、前記階調値閾値を越える階調値を有し、かつ、所定の面積閾値を越える面積を有する領域を前記注目領域として抽出する請求項１に記載の蛍光観察装置。
【請求項１１】
被写体に対し、励起光および照明光を照射する照明部と、
該照明部からの励起光の照射により前記被写体において発生した蛍光を撮影し蛍光画像を取得する蛍光撮像部と、
前記照明部からの照明光の照射により前記被写体から戻る戻り光を撮影し戻り光画像を取得する戻り光撮像部と、
前記蛍光撮像部により取得された前記蛍光画像および／または前記戻り光撮像部により取得された前記戻り光画像を表示する表示部と、
前記蛍光画像から所定の階調値閾値を超える階調値を有し、かつ、該階調値と該階調値以外の特徴量とを乗算したインデックス値が、所定のインデックス閾値を超える領域を注目領域として抽出する抽出部と、
該抽出部により前記注目領域が抽出されていないときには前記戻り光画像のみを前記表示部に表示し、前記注目領域が抽出されたときには、前記戻り光画像および前記蛍光画像を前記表示部に表示するように切り替える画像切替部とを備える蛍光観察装置。
【請求項１２】
観察者が入力を行う入力部とを備え、
前記画像切替部は、前記抽出部により前記注目領域が抽出されたときに、抽出された前記注目領域の情報を前記戻り光画像と対応づけて表示するとともに、表示された前記情報に対応する前記注目領域の観察の要否について観察者に入力を促す表示を行うように前記表示部による表示を切り替えるとともに、前記入力部から観察が必要である旨の入力が行われた場合に、前記戻り光画像および前記蛍光画像を前記表示部に表示するように切り替える請求項１１に記載の蛍光観察装置。
【請求項１３】
観察条件を変更するために着脱される、識別情報を記憶した着脱部品と、
該着脱部品に記憶された識別情報を読み取る識別情報読取部と、
前記識別情報と前記階調値閾値とを対応づけて記憶する閾値記憶部とを備え、
前記抽出部が、取り付けた着脱部品の識別情報に対応して前記閾値記憶部に記憶されている前記階調値閾値を用いて前記注目領域を抽出する請求項１に記載の蛍光観察装置。
【請求項１４】
使用する蛍光薬剤の情報を入力する情報入力部を備え、
前記抽出部が、前記情報入力部から入力された蛍光薬剤の情報に基づいて前記階調値閾値を調節し、調節された前記階調値閾値を超える領域を前記注目領域として抽出する請求項１に記載の蛍光観察装置。
【請求項１５】
被写体の蛍光画像と戻り光画像を表示する蛍光観察装置の画像表示方法であって、
前記蛍光画像から所定の階調値閾値を超える階調値を有する領域を注目領域として抽出し、
前記注目領域が抽出されていないときに、前記戻り光画像のみを表示し、
前記注目領域が抽出されたときに、前記戻り光画像および前記蛍光画像を並列して表示する画像表示方法。
【国際調査報告】
2012147820.tif 000019
2012147820.tif 000020
2012147820.tif 000021
2012147820.tif 000022